(57)【特許請求の範囲】
【請求項１】
強化型マルチメディア放送および同報サービス（ｅＭＢＭＳ）のサービス継続性を維持する方法であって、
ｅＭＢＭＳサービス周波数セット識別子をソース基地局へ送信することと、
前記ｅＭＢＭＳサービス周波数セット識別子に対応する周波数セットのイベントを測定し、イベント測定結果が予め設定された条件を満たす場合、前記ソース基地局へ測定レポートを報告することとを含み、
前記ｅＭＢＭＳサービス周波数セット識別子は、異なるタイプのｅＭＢＭＳサービスの周波数セットを区別するために用いられ、
前記測定レポートは、前記ソース基地局が端末の現在のｅＭＢＭＳサービスに対応する同じ周波数セットのセルへのハンドオーバを判断するために用いられ、
前記ｅＭＢＭＳサービス周波数セット識別子に対応する周波数セットのイベントを測定し、イベント測定結果が予め設定された条件を満たす場合、前記ソース基地局へ測定レポートを報告することは、
前記ソース基地局により送信された第一イベント測定構成に応じて第一イベント測定を行い、第一イベント測定結果が予め設定された条件を満たす場合、前記ソース基地局へ第一イベント測定レポートを報告することと、
前記ソース基地局により送信された第二イベント測定構成に応じて第二イベント測定を行い、第二イベント測定結果が予め設定された条件を満たす場合、前記ソース基地局へ第二イベント測定レポートを報告することとを含み、
前記第一イベント測定レポートは、前記ソース基地局がセルハンドオーバを行うかどうかを決定するために用いられ、
前記第二イベント測定レポートは、前記ソース基地局がセルハンドオーバを終了するかどうかを決定するために用いられる、前記方法。
【請求項２】
前記ｅＭＢＭＳサービス周波数セット識別子は、実行中のｅＭＢＭＳサービス周波数セット識別子及び／又はユーザーが関心を持っているｅＭＢＭＳサービス周波数セット識別子を含む
請求項１に記載の方法。
【請求項３】
強化型マルチメディア放送および同報サービス（ｅＭＢＭＳ）のサービス継続性を維持する方法であって、
端末により送信されたｅＭＢＭＳサービス周波数セット識別子を受信することと、
前記ｅＭＢＭＳサービス周波数セット識別子に応じて、前記端末へ周波数セットに対応するイベント測定構成を送信することと、
前記端末により報告された測定レポートに基づいて、セルハンドオーバの判断を行い、前記端末を前記ｅＭＢＭＳサービス周波数セット識別子に対応する周波数セットのうちのいずれか１つの周波数のセルへハンドオーバすることとを含み、
前記ｅＭＢＭＳサービス周波数セット識別子は、異なるタイプのｅＭＢＭＳサービスの周波数セットを区別するために用いられ、
前記ｅＭＢＭＳサービス周波数セット識別子に応じて、前記端末へ周波数セットに対応するイベント測定構成を送信することは、
前記端末により送信されたｅＭＢＭＳサービス周波数セット識別子を受信する場合、前記ｅＭＢＭＳサービス周波数セット識別子に応じて、前記端末へ周波数セットに対応する第一イベント測定構成を送信することと、
前記端末により報告された第一イベント測定レポートを受信する場合、前記ｅＭＢＭＳサービス周波数セット識別子に応じて、前記端末へ周波数セットに対応する第二イベント測定構成を送信することとを含み、
前記第一イベント測定レポートは、セルハンドオーバを行うかどうかを決定するために用いられ、
前記第二イベント測定レポートは、セルハンドオーバを終了するかどうかを決定するために用いられる、前記方法。
【請求項４】
前記ｅＭＢＭＳサービス周波数セット識別子は、前記端末の実行中のｅＭＢＭＳサービス周波数セット識別子又はユーザーが関心を持っているｅＭＢＭＳサービス周波数セット識別子を含む
請求項３に記載の方法。
【請求項５】
前記ｅＭＢＭＳサービス周波数セット識別子は、前記端末の実行中のｅＭＢＭＳサービス周波数セット識別子及びユーザーが関心を持っているｅＭＢＭＳサービス周波数セット識別子を含み、
前記端末を前記ｅＭＢＭＳサービス周波数セット識別子に対応する周波数セットのうちのいずれか１つの周波数のセルへハンドオーバすることは、
前記端末を前記端末の実行中のｅＭＢＭＳサービス周波数セット識別子に対応する周波数セットのうちのいずれか１つの周波数のセルへ優先的にハンドオーバさせることを含む
請求項３に記載の方法。
【請求項６】
端末であって、
強化型マルチメディア放送および同報サービス（ｅＭＢＭＳ）サービス周波数セット識別子をソース基地局へ送信するように構成される送信モジュールと、
前記ｅＭＢＭＳサービス周波数セット識別子に対応する周波数セットのイベントを測定し、イベント測定結果が予め設定された条件を満たす場合、前記ソース基地局へ測定レポートを報告するように構成される測定報告モジュールとを含み、
前記ｅＭＢＭＳサービス周波数セット識別子は、異なるタイプのｅＭＢＭＳサービスの周波数セットを区別するために用いられ、
前記測定レポートは、前記ソース基地局が端末の現在のｅＭＢＭＳサービスに対応する同じ周波数セットのセルへのハンドオーバを判断するために用いられ、
前記測定報告モジュールは、第一測定報告サブモジュール、および第二測定報告サブモジュールを含み、
第一測定報告サブモジュールは、前記ソース基地局により送信された第一イベント測定構成に応じて第一イベント測定を行い、第一イベント測定結果が予め設定された条件を満たす場合、前記ソース基地局へ第一イベント測定レポートを報告するように構成され、前記第一イベント測定レポートは、前記ソース基地局がセルハンドオーバを行うかどうかを決定するために用いられ、
第二測定報告サブモジュールは、前記ソース基地局により送信された第二イベント測定構成に応じて第二イベント測定を行い、第二イベント測定結果が予め設定された条件を満たす場合、ソース基地局へ第二イベント測定レポートを報告するように構成され、前記第二イベント測定レポートは、前記ソース基地局がセルハンドオーバを終了するかどうかを決定するために用いられる、前記端末。
【請求項７】
基地局であって、
端末により送信された強化型マルチメディア放送および同報サービス（ｅＭＢＭＳ）サービス周波数セット識別子を受信するように構成される受信モジュールと、
前記ｅＭＢＭＳサービス周波数セット識別子に応じて、前記端末へ周波数セットに対応するイベント測定構成を送信するように構成される測定構成モジュールと、
前記端末により報告された測定レポートに基づいて、セルハンドオーバの判断を行い、前記端末を前記ｅＭＢＭＳサービス周波数セット識別子に対応する周波数セットのうちのいずれか１つの周波数のセルへハンドオーバするように構成されるハンドオーバモジュールとを含み、
前記ｅＭＢＭＳサービス周波数セット識別子は、異なるタイプのｅＭＢＭＳサービスの周波数セットを区別するために用いられ、
前記測定構成モジュールは、第一測定構成サブモジュール、および第二測定構成サブモジュールを含み、
第一測定構成サブモジュールは、前記端末により送信されたｅＭＢＭＳサービス周波数セット識別子を受信する場合、前記ｅＭＢＭＳサービス周波数セット識別子に応じて、前記端末へ周波数セットに対応する第一イベント測定構成を送信するように構成され、
第二測定構成サブモジュールは、前記端末により報告された第一イベント測定レポートを受信する場合、前記ｅＭＢＭＳサービス周波数セット識別子に応じて、前記端末へ周波数セットに対応する第二イベント測定構成を送信するように構成され、
前記第一イベント測定レポートは、セルハンドオーバを行うかどうかを決定するために用いられ、
前記第二イベント測定レポートは、セルハンドオーバを終了するかどうかを決定するために用いられる、前記基地局。
【請求項８】
ｅＭＢＭＳサービス継続性を維持するシステムであって、
ｅＭＢＭＳサービス周波数セット識別子をソース基地局へ送信し、前記ｅＭＢＭＳサービス周波数セット識別子に対応する周波数セットのイベントを測定し、イベント測定結果が予め設定された条件を満たす場合、前記ソース基地局へ測定レポートを報告するように構成される端末と、
前記端末により送信されたｅＭＢＭＳサービス周波数セット識別子を受信し、前記ｅＭＢＭＳサービス周波数セット識別子に応じて、前記端末へ周波数セットに対応するイベント測定構成を送信し、前記端末により報告された測定レポートを受信する場合、セルハンドオーバの判断を行い、前記端末を前記ｅＭＢＭＳサービス周波数セット識別子に対応する周波数セットのうちのいずれか１つの周波数のセルへハンドオーバするように構成される前記ソース基地局とを含み、
前記測定レポートは、前記ソース基地局が端末の現在のｅＭＢＭＳサービスに対応する同じ周波数セットのセルへのハンドオーバを判断するために用いられ、前記ｅＭＢＭＳサービス周波数セット識別子は、異なるタイプのｅＭＢＭＳサービスの周波数セットを区別するために用いられ、
前記ｅＭＢＭＳサービス周波数セット識別子に対応する周波数セットのイベントを測定し、イベント測定結果が予め設定された条件を満たす場合、前記ソース基地局へ測定レポートを報告することは、前記ソース基地局により送信された第一イベント測定構成に応じて第一イベント測定を行い、第一イベント測定結果が予め設定された条件を満たす場合、前記ソース基地局へ第一イベント測定レポートを報告することと、前記ソース基地局により送信された第二イベント測定構成に応じて第二イベント測定を行い、第二イベント測定結果が予め設定された条件を満たす場合、前記ソース基地局へ第二イベント測定レポートを報告することとを含み、前記第一イベント測定レポートは、前記ソース基地局がセルハンドオーバを行うかどうかを決定するために用いられ、前記第二イベント測定レポートは、前記ソース基地局がセルハンドオーバを終了するかどうかを決定するために用いられ、
前記ｅＭＢＭＳサービス周波数セット識別子に応じて、前記端末へ周波数セットに対応するイベント測定構成を送信することは、前記端末により送信されたｅＭＢＭＳサービス周波数セット識別子を受信する場合、前記ｅＭＢＭＳサービス周波数セット識別子に応じて、前記端末へ周波数セットに対応する第一イベント測定構成を送信することと、前記端末により報告された第一イベント測定レポートを受信する場合、前記ｅＭＢＭＳサービス周波数セット識別子に応じて、前記端末へ周波数セットに対応する第二イベント測定構成を送信することとを含み、前記第一イベント測定レポートは、セルハンドオーバを行うかどうかを決定するために用いられ、前記第二イベント測定レポートは、セルハンドオーバを終了するかどうかを決定するために用いられる、前記システム。
【請求項９】
コンピュータ読み取り可能な記憶媒体であって、
前記コンピュータ読み取り可能な記憶媒体には、請求項１又は２に記載の方法を実行するように構成される実行可能な命令が含まれる、前記コンピュータ読み取り可能な記憶媒体。
【請求項１０】
コンピュータ読み取り可能な記憶媒体であって、
前記コンピュータ読み取り可能な記憶媒体には、請求項３〜５のいずれか１項に記載の方法を実行するように構成される実行可能な命令が含まれる、前記コンピュータ読み取り可能な記憶媒体。
【発明の詳細な説明】
【技術分野】
【０００１】
本発明は通信分野のハンドオーバ技術に関し、特に、強化型マルチメディア放送および同報サービス（ｅＭＢＭＳ：ｅｈａｎｃｅｄ  Ｍｕｌｔｉｍｅｄｉａ  Ｂｒｏａｄｃａｓｔ／Ｍｕｌｔｉｃａｓｔ  Ｓｅｒｖｉｃｅ）のサービス継続性を維持する方法、システム、装置及びコンピュータ読み取り可能な媒体に関する。
【背景技術】
【０００２】
インターネット（Ｉｎｔｅｒｎｅｔ）の高速発展と大画面多機能携帯電話の普及に伴い、多くの移動データマルチメディアサービスおよび各種の高帯域幅マルチメディアサービス、例えばテレビ会議、テレビ放送、ビデオオンデマンド、広告、ネットワーク教育、インタラクティブゲーム等が出現した。これらの移動データマルチメディアサービスは、移動ユーザーのますます増えるサービス要求を満たすとともに、モバイルキャリアに新しいサービス成長チャンスを提供する。さらに、これらの移動データマルチメディアサービスは、複数のユーザーが同じデータを同時に受信することを実現し、従来のデータサービスと比べて、データ量が大きく、持続時間が長く、遅延が敏感であるという特徴を有する。
【０００３】
モバイルネットワークリソースを有効に利用するために、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）はｅＭＢＭＳを提出する。ｅＭＢＭＳは、共有ネットワークリソースを１つのデータソースから複数の対象へ伝送するという技術である。ｅＭＢＭＳ技術を使用する場合、ネットワークリソースの利用は、コンテンツルート数に依存し、ユーザー数に依存しない。ユーザー数が大きい場合、コアネットワークと無線アクセスネットワークは、多くのリソースを節約し、ネットワークコストを有効に低減させることができる。
【０００４】
ＬＴＥにおいて、ｅＭＢＭＳサービスは、マルチキャストモード、即ちマルチメディア放送マルチキャストサービス単一周波数ネットワーク（ＭＢＳＦＮ：Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）伝送方式を使用することができ、ＭＢＳＦＮ伝送方式を使用したサービスをＭＢＳＦＮサービスと呼ぶ。ＭＢＳＦＮサービスは、複数のセルに同じ変調後の符号化フォーマットを使用し、同じ物理リソースを使用して同じコンテンツを生成する。ｅＭＢＭＳの複数セル伝送は以下の特徴を含む。１）ＭＢＳＦＮエリア内に同期伝送を行う。２）複数セルのｅのＭＢＭＳ伝送の合併をサポートする。３）マルチキャストサービスチャネル（ＭＴＣＨ：Ｍｕｌｔｉｃａｓｔ  Ｔｒａｆｆｉｃ  ＣＨａｎｎｅｌ）とマルチキャストコントロールチャネル（ＭＣＣＨ：Ｍｕｌｔｉｃａｓｔ  Ｃｏｎｔｒｏｌ  ＣＨａｎｎｅｌ）は、ポイントツーマルチポイント（ｐ−Ｔ−ｍ）モードでＭＣＨ伝送チャネルにマッピングする。４）ＭＢＳＦＮ同期エリア、ＭＢＳＮＦエリア、ＭＢＳＦＮ伝送、広告、セル保留等は、いずれも操作によって半静的に構成されている。このように、複数のセルのユーザー装置（ＵＥ：Ｕｓｅｒ  ｅｑｕｉｐｍｅｎｔ）は、同じコンテンツである複数のｅＭＢＭＳデータを受信し単一周波数ネットワーク（ＳＦＮ）の合併を行うことで、受信信号の利得を向上させることができる。複数のセルは、同じ物理リソースを使用し、ＭＢＳＦＮ送信モードで同じｅＭＢＭＳサービスを送信することで、１つのＭＢＳＦＮエリアを構成する。
【０００５】
ｅＭＢＭＳの実際のネットワーク配置において、同一ｅＭＢＭＳサービスエリア内に周波数が異なる複数のＭＢＳＦＮエリアが存在し、これらのＭＢＳＦＮエリアが同じｅＭＢＭＳサービスを提供する。
【０００６】
ＵＥのセルハンドオーバについて、ターゲットセルは、ネットワークによって確定される。ｅＭＢＭＳサービス能力を有するＵＥについて、従来のハンドオーバ方法に従って、無線リソース制御（ＲＲＣ：Ｒａｄｉｏ  Ｒｅｓｏｕｒｃｅ  Ｃｏｎｔｒｏｌ）の接続状態にあるＵＥは、ＭＢＳＦＮエリアのｅＮＢセルに存在し、ｅＭＢＭＳサービスＡを受信している又はｅＭＢＭＳサービスＡに関心を持っている場合、ＲＲＣメッセージであるＭＢＭＳ関心指示（ＭＢＭＳＩｎｔｅｒｅｓｔＩｎｄｉｃａｔｉｏｎ）によって、関心を持っている又は受信しているｅＭＢＭＳの周波数セット及びマルチキャスト優先度識別子をｅＮＢへ通知する。ＵＥがＭＢＳＦＮエリアに存在するセルの境界へ移動し、ある周波数の測定条件を満たしてｅＮＢへ報告する場合、ｅＮＢは、測定結果に応じて、ハンドオーバの判断を行う。判断結果として、当該ＵＥを非ＭＢＳＦＮエリアの周波数のセルへハンドオーバするが、ＵＥにより報告されたｅＭＢＭＳの周波数セットのセルへハンドオーバしない可能性がある。この場合、当該ＵＥがソースセルでＭＢＳＦＮ方式でｅＭＢＭＳサービスを実行していた場合、ハンドオーバ後、当該非ＭＢＳＦＮエリアのセルがｅＭＢＭＳサービスを提供しないので、当該ＵＥが関心を持っているｅＭＢＭＳサービスを受信することができない又は実行中のｅＭＢＭＳサービスを中断することができる。
【０００７】
なお、従来では、端末により報告されたＭＢＭＳＩｎｔｅｒｅｓｔＩｎｄｉｃａｔｉｏｎにおけるｅＭＢＭＳサービスの周波数セットについて、異なるタイプのｅＭＢＭＳサービスの周波数セットを区別しない。この場合、ｅＮＢは、ハンドオーバ判断を行う場合、サービスタイプに従って対応する処理を行うことができない。例えば、従来、ＵＥは、ユーザーが関心を持っているｅＭＢＭＳサービスと実行中のｅＭＢＭＳサービスの周波数セットを区別することができない。この場合、ｅＮＢは、ハンドオーバ判断を行う場合、受信中の周波数セットと関心を持っている周波数セットに対して対応処理を行うことができない。端末がｅＭＢＭＳサービスを受信している場合、ｅＮＢは、関心を持っているｅＭＢＭＳサービスの周波数セットのセルへハンドオーバする可能性があり、端末の実行中のサービスが中断されて、ユーザー体験に影響を及ぼす。
【発明の概要】
【０００８】
本発明の実施例は、端末のｅＭＢＭＳサービス継続性を維持し、ユーザー体験を向上させるｅＭＢＭＳサービス継続性を維持する方法、システム、装置及びコンピュータ読み取り可能な媒体を提供する。
【０００９】
本発明の実施例に係る技術案は、以下のように実現される。
【００１０】
本発明の実施例はｅＭＢＭＳサービス継続性を維持する方法を提供し、前記方法は、
ｅＭＢＭＳサービス周波数セット識別子をソース基地局へ送信することと、
前記ｅＭＢＭＳサービス周波数セット識別子に対応する周波数セットのイベントを測定し、イベント測定結果が予め設定された条件を満たす場合、前記ソース基地局へ測定レポートを報告することとを含み、
前記ｅＭＢＭＳサービス周波数セット識別子は、異なるタイプのｅＭＢＭＳサービスの周波数セットを区別するために用いられ、
前記測定レポートは、前記ソース基地局が端末の現在のｅＭＢＭＳサービスに対応する同じ周波数セットのセルへのハンドオーバを判断するために用いられる。
【００１１】
上記の技術案において、前記ｅＭＢＭＳサービス周波数セット識別子に対応する周波数セットのイベントを測定し、イベント測定結果が予め設定された条件を満たす場合、前記ソース基地局へ測定レポートを報告することは、
前記ソース基地局により送信された第一イベント測定構成に応じて第一イベント測定を行い、第一イベント測定結果が予め設定された条件を満たす場合、前記ソース基地局へ第一イベント測定レポートを報告することと、
前記ソース基地局により送信された第二イベント測定構成に応じて第二イベント測定を行い、第二イベント測定結果が予め設定された条件を満たす場合、前記ソース基地局へ第二イベント測定レポートを報告することとを含み、
前記第一イベント測定レポートは、前記ソース基地局がセルハンドオーバを行うかどうかを決定するために用いられ、
前記第二イベント測定レポートは、前記ソース基地局がセルハンドオーバを終了するかどうかを決定するために用いられる。
【００１２】
上記の技術案において、前記ｅＭＢＭＳサービス周波数セット識別子は、端末の実行中のｅＭＢＭＳサービス周波数セット識別子及び/又はユーザーが関心を持っているｅＭＢＭＳサービス周波数セット識別子を含む。
【００１３】
本発明の実施例はｅＭＢＭＳサービス継続性を維持する他の方法を提供し、前記方法は、
端末により送信されたｅＭＢＭＳサービス周波数セット識別子を受信することと、
前記ｅＭＢＭＳサービス周波数セット識別子に応じて、前記端末へ周波数セットに対応するイベント測定構成を送信することと、
前記端末により報告された測定レポートに基づいて、セルハンドオーバの判断を行い、前記端末を前記ｅＭＢＭＳサービス周波数セット識別子に対応する周波数セットのうちのいずれか１つの周波数のセルへハンドオーバすることとを含み、
前記ｅＭＢＭＳサービス周波数セット識別子は、異なるタイプのｅＭＢＭＳサービスの周波数セットを区別するために用いられる。
【００１４】
上記の技術案において、前記ｅＭＢＭＳサービス周波数セット識別子に応じて、前記端末へ周波数セットに対応するイベント測定構成を送信することとは、
前記端末により送信されたｅＭＢＭＳサービス周波数セット識別子を受信する場合、前記ｅＭＢＭＳサービス周波数セット識別子に応じて、前記端末へ周波数セットに対応する第一イベント測定構成を送信することと、
前記端末により報告された第一イベント測定レポートを受信する場合、前記ｅＭＢＭＳサービス周波数セット識別子に応じて、前記端末へ周波数セットに対応する第二イベント測定構成を送信することとを含む。
【００１５】
上記の技術案において、前記ｅＭＢＭＳサービス周波数セット識別子は、端末の実行中のｅＭＢＭＳサービス周波数セット識別子又はユーザーが関心を持っているｅＭＢＭＳサービス周波数セット識別子を含む。
【００１６】
上記の技術案において、前記ｅＭＢＭＳサービス周波数セット識別子は、前記端末の実行中のｅＭＢＭＳサービス周波数セット識別子及びユーザーが関心を持っているｅＭＢＭＳサービス周波数セット識別子を含み、
前記端末を前記ｅＭＢＭＳサービス周波数セット識別子に対応する周波数セットのうちのいずれか１つの周波数のセルへハンドオーバすることは、
前記端末を端末の実行中のｅＭＢＭＳサービス周波数セット識別子に対応する周波数セットのうちのいずれか１つの周波数のセルへ優先的にハンドオーバさせることを含む。
【００１７】
本発明の実施例はまた端末を提供し、前記端末は、
強化型マルチメディア放送および同報サービス（ｅＭＢＭＳ）サービス周波数セット識別子をソース基地局へ送信するように構成される送信モジュールと、
前記ｅＭＢＭＳサービス周波数セット識別子に対応する周波数セットのイベントを測定し、イベント測定結果が予め設定された条件を満たす場合、前記ソース基地局へ測定レポートを報告するように構成される測定報告モジュールとを含み、
前記ｅＭＢＭＳサービス周波数セット識別子は、異なるタイプのｅＭＢＭＳサービスの周波数セットを区別するために用いられ、
前記測定レポートは、前記ソース基地局が端末の現在のｅＭＢＭＳサービスに対応する同じ周波数セットのセルへのハンドオーバを判断するために用いられる。
【００１８】
上記の技術案において、前記測定報告モジュールは、第一測定報告サブモジュール、および第二測定報告サブモジュールを含み、
第一測定報告サブモジュールは、前記ソース基地局により送信された第一イベント測定構成に応じて第一イベント測定を行い、第一イベント測定結果が予め設定された条件を満たす場合、前記ソース基地局へ第一イベント測定レポートを報告するように構成され、前記第一イベント測定レポートは、前記ソース基地局がセルハンドオーバを行うかどうかを決定するために用いられ、
第二測定報告サブモジュールは、前記ソース基地局により送信された第二イベント測定構成に応じて第二イベント測定を行い、第二イベント測定結果が予め設定された条件を満たす場合、ソース基地局へ第二イベント測定レポートを報告するように構成され、前記第二イベント測定レポートは、前記ソース基地局がセルハンドオーバを終了するかどうかを決定するために用いられる。
【００１９】
本発明の実施例はまた基地局を提供し、前記基地局は、
端末により送信された強化型マルチメディア放送および同報サービス（ｅＭＢＭＳ）サービス周波数セット識別子を受信するように構成される受信モジュールと、
前記ｅＭＢＭＳサービス周波数セット識別子に応じて、前記端末へ周波数セットに対応するイベント測定構成を送信するように構成される測定構成モジュールと、
前記端末により報告された測定レポートに基づいて、セルハンドオーバの判断を行い、前記端末を前記ｅＭＢＭＳサービス周波数セット識別子に対応する周波数セットのうちのいずれか１つの周波数のセルへハンドオーバするように構成されるハンドオーバモジュールとを含み、
前記ｅＭＢＭＳサービス周波数セット識別子は、異なるタイプのｅＭＢＭＳサービスの周波数セットを区別するために用いられる。
【００２０】
上記の技術案において、前記測定構成モジュールは、第一測定構成サブモジュール、および第二測定構成サブモジュールを含み、
第一測定構成サブモジュールは、前記端末により送信されたｅＭＢＭＳサービス周波数セット識別子を受信する場合、前記ｅＭＢＭＳサービス周波数セット識別子に応じて、前記端末へ周波数セットに対応する第一イベント測定構成を送信するように構成され、
第二測定構成サブモジュールは、前記端末により報告された第一イベント測定レポートを受信する場合、前記ｅＭＢＭＳサービス周波数セット識別子に応じて、前記端末へ周波数セットに対応する第二イベント測定構成を送信するように構成される。
【００２１】
本発明の実施例はまたｅＭＢＭＳサービス継続性を維持するシステムを提供し、前記システムは、
ｅＭＢＭＳサービス周波数セット識別子をソース基地局へ送信し、前記ｅＭＢＭＳサービス周波数セット識別子に対応する周波数セットのイベントを測定し、イベント測定結果が予め設定された条件を満たす場合、前記ソース基地局へ測定レポートを報告するように構成される端末と、
前記端末により送信されたｅＭＢＭＳサービス周波数セット識別子を受信し、前記ｅＭＢＭＳサービス周波数セット識別子に応じて、前記端末へ周波数セットに対応するイベント測定構成を送信し、前記端末により報告された測定レポートを受信する場合、セルハンドオーバの判断を行い、前記端末を前記ｅＭＢＭＳサービス周波数セット識別子に対応する周波数セットのうちのいずれか１つの周波数のセルへハンドオーバするように構成されるソース基地局とを含み、
前記測定レポートは、前記ソース基地局が端末の現在のｅＭＢＭＳサービスに対応する同じ周波数セットのセルへのハンドオーバを判断するために用いられ、
前記ｅＭＢＭＳサービス周波数セット識別子は、異なるタイプのｅＭＢＭＳサービスの周波数セットを区別するために用いられる。
【００２２】
本発明の実施例はまたコンピュータ読み取り可能な媒体を提供し、前記コンピュータ読み取り可能な媒体には、上記のｅＭＢＭＳサービス継続性を維持する方法のうちのいずれか１つを実行するように構成される実行可能な命令が含まれる。
【００２３】
本発明の実施例の技術案によれば、端末がｅＭＢＭＳサービス周波数セット識別子をソース基地局へ報告し、ソース基地局が端末へｅＭＢＭＳサービス周波数セット識別子に対応する周波数セットのイベント測定構成を送信し、端末がこの周波数範囲内において測定し、ソース基地局へ測定レポートを報告する。このように、ソース基地局が端末の現在のｅＭＢＭＳサービスに対応する同じ周波数セットのセルへハンドオーバすることを保障し、端末を非ＭＢＳＦＮエリアの周波数のセルへハンドオーバすることを回避し、端末を実行中のｅＭＢＭＳサービスの周波数セットのセルから他サービスの周波数セットのセルへハンドオーバすることも回避して、端末のｅＭＢＭＳサービス継続性を維持し、ユーザーの体験を向上させる。
【図面の簡単な説明】
【００２４】
【図１】端末をユニキャストセルへハンドオーバする模式図である。
【図２】本発明の実施例におけるｅＭＢＭＳサービス継続性を維持する方法のフローチャートである。
【図３】本発明の実施例一におけるｅＭＢＭＳサービス継続性を維持する方法のフローチャートである。
【図４】本発明の実施例二におけるｅＭＢＭＳサービス継続性を維持する方法のフローチャートである。
【図５】本発明の実施例三におけるｅＭＢＭＳサービス継続性を維持する方法のフローチャートである。
【図６】本発明の実施例における端末の構成を示す図である。
【図７】本発明の実施例における基地局の構成を示す図である。
【図８】与本発明の実施例における互換性があるｅＭＢＭＳサービス継続性を維持する方法のフローチャートである。
【図９】本発明の実施例におけるｅＭＢＭＳサービス継続性を維持するシステムの構成を示す図である。
【発明を実施するための形態】
【００２５】
解決しようとする課題を説明するために、図１を参照して説明する。図１に示すように、黒く塗りつぶした丸印で示す端末は、セルＡで、ｅＭＢＭＳサービスを受信し、セルＡはＭＢＳＦＮエリアＡに属し、周波数はＦ１である。セルＢは、ｅＭＢＭＳサービスを提供し、ＭＢＳＦＮエリアＢに属し、周波数がＦ２である。セルＣがユニキャストセルであり、周波数がＦ３である。端末は、セルＡの境界に移動してセルＢとセルＣに近接する場合、測定レポートを進化型基地局（ｅＮＢ）へ報告する。ｅＮＢは、測定レポートに基づいて、端末をセルＣへハンドオーバする。しかしながら、ｅＭＢＭＳサービス継続性を維持するために、端末をセルＢへハンドオーバすることを期待する。
【００２６】
以上の課題を解決するために、本発明の実施例において、端末により報告されたＭＢＭＳＩｎｔｅｒｅｓｔＩｎｄｉｃａｔｉｏｎには、受信中のｅＭＢＭＳサービスの周波数セット及び／又は関心を持っているｅＭＢＭＳサービスの周波数セットが含まれ、好ましくは、マルチキャストユニキャスト優先度識別子も含まれる。マルチキャストユニキャスト優先度識別子が含まれている場合、ユニキャスト周波数とマルチキャスト周波数サービスが両立できないことを分かる。そのため、端末がマルチキャスト周波数のサービスを優先的に受信することを期待する。マルチキャストユニキャスト優先度識別子が含まれていない場合、ユニキャスト周波数サービスを優先的に受信することを分かる。説明を容易にするために、受信中のｅＭＢＭＳサービスの周波数セットをｆ１として識別し、関心を持っているｅＭＢＭＳサービスの周波数セットをｆ２として識別する。
【００２７】
以下、本発明の実施例の図面を参照し、本発明の実施例に係る技術案を詳しく説明する。
【００２８】
本発明の実施例において、ＭＢＳＦＮ方式で伝送されるｅＭＢＭＳサービスについて、ユーザーのｅＭＢＭＳサービス継続性を保障するために、ｅＭＢＭＳサービス継続性を維持する方法を提供し、図２に示すように、以下のステップを含む。
【００２９】
ステップ２０１において、端末は、ｅＭＢＭＳサービス周波数セット識別子をソース基地局へ送信する。
【００３０】
ここで、前記ｅＭＢＭＳサービス周波数セット識別子は、端末により報告されたＭＢＭＳＩｎｔｅｒｅｓｔＩｎｄｉｃａｔｉｏｎに含まれている異なるタイプのｅＭＢＭＳサービスに対応する周波数セットを区別するために用いられ、例えば、受信中のｅＭＢＭＳサービスの周波数セット及び／又は関心を持っているｅＭＢＭＳサービスの周波数セットを含む。前記ｅＭＢＭＳサービス周波数セット識別子は、具体的な形態を持ち、識別機能を有する符号であっても良いが、これに限定されない。
【００３１】
端末は、アプリケーション層リストからサービスタイプを直接に取得することができる。本発明の実施例において、ｅＭＢＭＳサービスのタイプに従って異なるｅＭＢＭＳサービス周波数セット識別子に対応する。ここで、ｅＭＢＭＳサービスのタイプは、端末の受信中のｅＭＢＭＳサービス及び／又はユーザーが関心を持っているｅＭＢＭＳサービスを含むことができ、ｅＭＢＭＳサービスのタイプに従って周波数セットに対応する。
【００３２】
例えば、端末により報告されたＭＢＭＳＩｎｔｅｒｅｓｔＩｎｄｉｃａｔｉｏｎには、端末の受信中のｅＭＢＭＳサービスに対応する周波数セットが含まれ、対応するｅＭＢＭＳサービス周波数セット識別子をｆ１で示し、又は、端末に報告されたＭＢＭＳＩｎｔｅｒｅｓｔＩｎｄｉｃａｔｉｏｎには、ユーザーが関心を持っているｅＭＢＭＳサービスに対応する周波数セットが含まれ、対応するｅＭＢＭＳサービス周波数セット識別子をｆ２で示す。また、ＭＢＭＳＩｎｔｅｒｅｓｔＩｎｄｉｃａｔｉｏｎには、ｅＭＢＭＳサービス周波数セット識別子ｆ１とｅＭＢＭＳサービス周波数セット識別子ｆ２が含まれても良い。
【００３３】
好ましくは、ユニキャスト周波数サービスとマルチキャスト周波数サービスが両立できない場合、端末により送信されたＭＢＭＳＩｎｔｅｒｅｓｔＩｎｄｉｃａｔｉｏｎには、マルチキャストユニキャスト優先度識別子を含まれてもよい。端末により送信されたＭＢＭＳＩｎｔｅｒｅｓｔＩｎｄｉｃａｔｉｏｎに前記マルチキャストユニキャスト優先度識別子が含まれている場合、端末は、マルチキャスト周波数サービスを優先的に受信し、そうでない場合、端末はユニキャスト周波数サービスを優先的に受信する。
【００３４】
ステップ２０２において、ソース基地局は、端末により送信されたｅＭＢＭＳサービス周波数セット識別子を受信した後、前記ｅＭＢＭＳサービス周波数セット識別子に応じて、前記端末へ周波数セットに対応するイベント測定構成を送信する。端末は、ソース基地局に送信された、前記ｅＭＢＭＳサービス周波数セット識別子に対応する周波数セットのイベント測定を行い、前記イベント測定結果が予め設定された条件を満たす場合、測定レポートをソース基地局へ報告する。
【００３５】
ここで、前記測定レポートは、ソース基地局が端末の現在のｅＭＢＭＳサービスに対応する同じ周波数セットを有するセル内へのハンドオーバー判断を保障して完了するために用いられる。
【００３６】
例えば、ソース基地局は、端末により送信された、ＭＢＭＳＩｎｔｅｒｅｓｔＩｎｄｉｃａｔｉｏｎが含まれているメッセージを受信した後、ＭＢＭＳＩｎｔｅｒｅｓｔＩｎｄｉｃａｔｉｏｎのｅＭＢＭＳサービス周波数セット識別子に応じて、対応する周波数セットのイベント測定構成を端末へ送信する。ここで、前記予め設定された条件は、予め設定された、測定レポートを報告するための条件であり、周知の技術であるため、説明を省略する。
【００３７】
基地局のセルハンドオーバを正確にするために、このステップは、以下の処理をさらに含む。
【００３８】
ソース基地局は、端末に送信されたｅＭＢＭＳサービス周波数セット識別子を受信する場合、前記ｅＭＢＭＳサービス周波数セット識別子に応じて、周波数セットに対応する第一イベント測定構成を前記端末へ送信する。端末は、ソース基地局により送信された前記第一イベント測定を行い、第一イベント測定結果が予め設定された条件を満たす場合、第一イベント測定レポートをソース基地局へ報告する。ここで、ソース基地局が現在セルからのハンドオーバが必要であるかどうかを確定するように、端末が第一イベント測定を行う。前記セルハンドオーバについて、ソース基地局が端末を現在のｅＭＢＭＳサービス対応する同じ周波数セットのセルへハンドオーバすることを保障する必要がある。
【００３９】
ソース基地局は、端末により報告された第一イベント測定レポートを受信する場合、前記ｅＭＢＭＳサービス周波数セット識別子に応じて、周波数セットに対応する第二イベント測定構成を前記端末へ送信する。端末は、ソース基地局により送信された前記第二イベント測定を行い、第二イベント測定結果が予め設定された条件を満たす場合、第二イベント測定レポートをソース基地局へ報告する。ここで、ソース基地局が現在セルのハンドオーバを終了するかどうかを確認するように、端末が第二イベント測定を行う。前記予め設定された条件は、予め設定された測定レポートを報告するための条件であり、周知の技術であるため、説明を省略する。
【００４０】
明らかに、このステップにおいて、端末とソース基地局の間に上記方式で３回以上の測定と報告によってセルハンドオーバを行い、ｅＭＢＭＳサービス継続性を保障し、不正なハンドオーバを減少させ、ハンドオーバの正確性を保障することができる。
【００４１】
ステップ２０３において、ソース基地局は、端末により報告された測定レポートを受信する場合、セルハンドオーバ判断を行い、前記端末を前記ｅＭＢＭＳサービス周波数セット識別子に対応する周波数セットのうちのいずれか１つの周波数のセルへハンドオーバする。
【００４２】
ここで、端末により送信されたＭＢＭＳＩｎｔｅｒｅｓｔＩｎｄｉｃａｔｉｏｎメッセージに、ｅＭＢＭＳサービス周波数セット識別子ｆ１とｅＭＢＭＳサービス周波数セット識別子ｆ２が含まれている場合、ソース基地局は、前記端末を前記ｅＭＢＭＳサービス周波数セット識別子ｆ１に対応する周波数セットのうちのいずれか１つの周波数のセルへ優先的にハンドオーバさせる。
【００４３】
本発明の実施例において、ＲＲＣ接続状態にある端末は、ＲＲＣメッセージのＭＢＭＳＩｎｔｅｒｅｓｔＩｎｄｉｃａｔｉｏｎでｅＭＢＭＳサービス周波数セット識別子をソース基地局へ報告する。ソース基地局は、ｅＭＢＭＳサービス周波数セット識別子に対応する周波数セットのイベント測定構成を端末へ送信する。端末は、この周波数範囲においてイベント測定を行い、測定レポートをソース基地局へ報告する。このように、ソース基地局が端末を現在のｅＭＢＭＳサービス対応する同じ周波数セットのセルへハンドオーバすることを保障し、端末のユーザーのｅＭＢＭＳサービス継続性を保障し、ユーザー体験を向上させる。
【００４４】
端末により報告されたＭＢＭＳＩｎｔｅｒｅｓｔＩｎｄｉｃａｔｉｏｎに異なるｅＭＢＭＳサービス周波数セット識別子が含まれている場合について、発明は以下の実施例により実現される。
【００４５】
実施例一
本実施例において、端末により報告されたＭＢＭＳＩｎｔｅｒｅｓｔＩｎｄｉｃａｔｉｏｎには、ｅＭＢＭＳサービス周波数セット識別子ｆ１のみが含まれる。本実施例におけるｅＭＢＭＳサービス継続性を維持する方法は、図３に示すように、以下のステップを含む。
【００４６】
ステップ３０１において、端末はｅＭＢＭＳサービス周波数セット識別子ｆ１をソース基地局（ソースｅＮＢ）へ送信する。
【００４７】
本実施例において、端末により送信されたＭＢＭＳＩｎｔｅｒｅｓｔＩｎｄｉｃａｔｉｏｎには、ｅＭＢＭＳサービス周波数セット識別子ｆ１のみが含まれ、即ち端末の受信中のｅＭＢＭＳサービスの周波数セットのみが含まれる。
【００４８】
実際の応用において、前記ＭＢＭＳＩｎｔｅｒｅｓｔＩｎｄｉｃａｔｉｏｎには、マルチキャストユニキャスト優先度識別子が含まれても良い。
【００４９】
ステップ３０２において、ソース基地局は、ｅＭＢＭＳサービス周波数セット識別子ｆ１に対応するＡ２イベントの測定構成を送信する。
【００５０】
ここで、Ａ２イベントの閾値がゲートウェイにより設定され、且つＡ２イベントの閾値がユニキャストサービスの周波数閾値より大きい。
【００５１】
ステップ３０３において、端末は、Ａ２イベントの測定構成が予め設定された条件を満たすことを検定した後、Ａ２イベント測定レポートをソース基地局へ報告する。
【００５２】
ステップ３０４において、ソース基地局は、端末により報告されたＡ２イベント測定レポートを受信する場合、ｅＭＢＭＳサービス周波数セット識別子ｆ１に対応するＡ３イベント測定構成を端末へ送信する。
【００５３】
ここで、Ａ３イベントの閾値がユニキャストサービスの周波数閾値より大きいので、端末が測定を行う場合、ｅＭＢＭＳサービス周波数セット識別子ｆ１に対応するＡ３イベントを優先的に満たすことを保障する。
【００５４】
ステップ３０５において、端末は、Ａ３イベントの測定構成が予め設定された条件を満たすことを検定した後、Ａ３イベント測定レポートをソース基地局へ報告する。
【００５５】
ステップ３０６において、ソース基地局は、端末により報告されたＡ３イベント測定レポートを受信する場合、セルハンドオーバ判断を行い、端末をｅＭＢＭＳサービス周波数セット識別子ｆ１に対応する周波数セットのうちのいずれか１つのセルへ優先的にハンドオーバさせる。
【００５６】
ここで、ステップ３０１において、端末により送信されたＭＢＭＳＩｎｔｅｒｅｓｔＩｎｄｉｃａｔｉｏｎにマルチキャストユニキャスト優先度識別子が含まれていない場合、端末がユニキャスト周波数サービスを優先的に受信することを分かる。また、ステップ３０２において、Ａ２イベント閾値がユニキャストサービスの周波数閾値である。ステップ３０４において、Ａ３イベントの閾値がユニキャストサービスの周波数閾値である。そのため、端末が測定を行う場合、ｅＭＢＭＳサービス周波数セット識別子ｆ１に対応するＡ３イベントを優先的に満たすことを保障する。
【００５７】
実施例二
本実施例におけるｅＭＢＭＳサービス継続性を維持する方法は、図４に示されたとおりであり、本実施例と実施例一との相違点は、端末により送信されたＭＢＭＳＩｎｔｅｒｅｓｔＩｎｄｉｃａｔｉｏｎにはｅＭＢＭＳサービス周波数セット識別子ｆ２のみ含まれ、即ちユーザーが関心を持っているｅＭＢＭＳサービスの周波数セットのみが含まれることである。
【００５８】
本実施例において、ステップ４０１〜ステップ４０６は、実施例一におけるステップ３０１〜ステップ３０６のｅＭＢＭＳサービス周波数セット識別子ｆ１をｅＭＢＭＳサービス周波数セット識別子ｆ２に置換え、以外の処理と操作が同じであるため、ここでは詳細な説明を省略する。
【００５９】
実施例三
本実施例におけるｅＭＢＭＳサービス継続性を維持する方法は、図５に示されたとおりであり、本実施例と実施例との相違点は、端末により送信されたＭＢＭＳＩｎｔｅｒｅｓｔＩｎｄｉｃａｔｉｏｎには、ｅＭＢＭＳサービス周波数セット識別子ｆ１とｅＭＢＭＳサービス周波数セット識別子ｆ２が含まれ、即ち端末受信中のｅＭＢＭＳサービスの周波数セットとユーザーが関心を持っているｅＭＢＭＳサービスの周波数セットが含まれることである。
【００６０】
本実施例において、ステップ５０１〜ステップ５０６は、実施例一におけるステップ３０１〜ステップ３０６のｅＭＢＭＳサービス周波数セット識別子ｆ１をｅＭＢＭＳサービス周波数セット識別子ｆ１とｅＭＢＭＳサービス周波数セット識別子ｆ２に置き換え、以外の処理と操作が同じであるため、ここでは詳細な説明を省略する。
【００６１】
なお、本実施例において、ｅＭＢＭＳサービス周波数セット識別子ｆ１に対応する周波数セットに対応する閾値が、ｅＭＢＭＳサービス周波数セット識別子ｆ２に対応する周波数セットに対応する閾値より大きいので、ステップ５０５において端末はｅＭＢＭＳサービス周波数セット識別子ｆ１に対応するＡ３イベントを満たす予め設定された測定条件を優先的に測定する。
【００６２】
ｅＭＢＭＳサービス周波数セット識別子ｆ１に対応するＡ３イベントが予め設定された測定条件を満たす場合、端末は、ｅＭＢＭＳサービス周波数セット識別子ｆ１に対応するＡ３イベントの測定レポートをソース基地局へ報告し、ソース基地局は、ｅＭＢＭＳサービス周波数セット識別子ｆ１に対応する周波数セットのうちのいずれか１つのセルへ優先的にハンドオーバさせる。
【００６３】
端末は、最後までｅＭＢＭＳサービス周波数セット識別子ｆ１に対応するＡ３イベントを測定できなかった場合、ｅＭＢＭＳサービス周波数セット識別子ｆ２に対応するＡ３イベントを測定し、ｅＭＢＭＳサービス周波数セット識別子ｆ２に対応するＡ３イベントの測定レポートをソース基地局へ報告する。ソース基地局は、ｅＭＢＭＳサービス周波数セット識別子ｆ２に対応する周波数セットのうちのいずれか１つのセルへ優先的にハンドオーバさせる。
【００６４】
上記方法を実現するために、本発明の実施例はまた端末６０を提供し、図６に示すように、当該端末６０は、送信モジュール６０１、および測定報告モジュール６０２を含む。
【００６５】
送信モジュール６０１は、ｅＭＢＭＳサービス周波数セット識別子をソース基地局へ送信するように構成され、前記ｅＭＢＭＳサービス周波数セット識別子は、異なるタイプのｅＭＢＭＳサービスの周波数セットを区別するために用いられる。
【００６６】
測定報告モジュール６０２は、前記ソース基地局により送信された、前記ｅＭＢＭＳサービス周波数セット識別子に対応する周波数セットのイベントを測定し、イベント測定結果が予め設定された条件を満たす場合、測定レポートをソース基地局へ報告するように構成され、前記測定レポートは、ソース基地局が端末の現在のｅＭＢＭＳサービスに対応する同じ周波数セットを有するセル内へのハンドオーバー判断を保障して完了するために用いられる。
【００６７】
ここで、前記測定報告モジュール６０２は、第一測定報告サブモジュール６０２１、および第二測定報告モジュール６０２２を含む。
【００６８】
第一測定報告サブモジュール６０２１は、ソース基地局により送信された第一イベント測定構成（ソース基地局が前記ｅＭＢＭＳサービス周波数セット識別子に基づいて送信する）に応じて、第一イベント測定（即ち前記ｅＭＢＭＳサービス周波数セット識別子に対応する周波数セットのイベントへの測定）を行い、得た第一イベント測定結果が予め設定された条件を満たす場合、第一イベント測定レポートをソース基地局へ報告するように構成される。
【００６９】
第二測定報告モジュール６０２２（第一測定報告サブモジュール６０２１と連結）は、ソース基地局により送信された第一イベント測定構成（ソース基地局が前記ｅＭＢＭＳサービス周波数セット識別子に基づいて送信する）に応じて、第二イベント測定（即ち前記ｅＭＢＭＳサービス周波数セット識別子に対応する周波数セットのイベントへの測定）を行い、得た第二イベント測定結果が予め設定された条件を満たす場合、第二イベント測定レポートをソース基地局へ報告するように構成される。
【００７０】
実際の応用において、上記送信モジュール６０１は、端末６０における発信機により実現されることができ、測定報告モジュール６０２は、端末における発信機と以下のうちの１つを組み合わせて実現されることができ、即ち、中心処理装置（ＣＰＵ：Ｃｅｎｔｒａｌ  Ｐｒｏｃｅｓｓｉｎｇ  Ｕｎｉｔ）、デジタル信号プロセッサ（ＤＳＰ）、マイクロプロセッサユニット（ＭＰＵ：Ｍｉｃｒｏ  Ｐｒｏｃｅｓｓｏｒ  Ｕｎｉｔ）、フィールドプログラマブルゲートアレイ（ＦＰＧＡ）である。
【００７１】
本発明の実施例はまた基地局７０を提供し、図７に示すように、当該基地局７０は、受信モジュール７０１、測定構成モジュール７０２、及びハンドオーバモジュール７０３を含む。
【００７２】
受信モジュール７０１は、端末により送信されたｅＭＢＭＳサービス周波数セット識別子を受信するように構成され、前記ｅＭＢＭＳサービス周波数セット識別子は、異なるタイプのｅＭＢＭＳサービスの周波数セットを区別するために用いられる。
【００７３】
測定構成モジュール７０２は、前記ｅＭＢＭＳサービス周波数セット識別子に応じて、前記端末へ周波数セットに対応するイベント測定構成を送信するように構成される。
【００７４】
ハンドオーバモジュール７０３は、端末により報告された測定レポートに基づいて、セルハンドオーバ判断を行い、前記端末を前記ｅＭＢＭＳサービス周波数セット識別子に対応する周波数セットのうちのいずれか１つの周波数のセルへハンドオーバするように構成される。
【００７５】
好ましくは、前記測定構成モジュール７０２は、第一測定構成サブモジュール７０２１、および第二測定構成サブモジュール７０２２を含む。
【００７６】
第一測定構成サブモジュール７０２１は、端末により送信されたｅＭＢＭＳサービス周波数セット識別子を受信する場合、前記ｅＭＢＭＳサービス周波数セット識別子に応じて、周波数セットに対応する第一イベント測定構成を前記端末へ送信するように構成される。
【００７７】
第二測定構成サブモジュール７０２２（第一測定構成サブモジュール７０２１と連結）は、端末により報告された第一イベント測定レポートを受信する場合、前記ｅＭＢＭＳサービス周波数セット識別子に応じて、周波数セットに対応する第二イベント測定構成を前記端末へ送信するように構成される。
【００７８】
上記受信モジュール７０１は、基地局７０における受信機により実現されることができ、測定構成モジュール７０２は、基地局７０の受信機と以下のうちの１つを組み合わせて実現されることができ、即ち、ＣＰＵ、ＤＳＰ、ＭＰＵ、又はＦＰＧＡであり、ハンドオーバモジュール７０３は、基地局７０のＣＰＵ、ＤＳＰ、ＭＰＵ又はＦＰＧＡにより実現されることができる。
【００７９】
本発明の実施例はまたｅＭＢＭＳサービス継続性を維持するシステムを提供し、図９に示すように、基地局７０（基地局７０がソース基地局である）、端末６０、及び基地局８０（基地局８０がターゲット基地局である）を含む。
【００８０】
前記端末６０は、ｅＭＢＭＳサービス周波数セット識別子をソース基地局へ送信し、前記ｅＭＢＭＳサービス周波数セット識別子に対応する周波数セットのイベントを測定し、イベント測定結果が予め設定された条件を満たす場合、前記ソース基地局へ測定レポートを報告するように構成され、前記測定レポートは、前記ソース基地局が端末の現在のｅＭＢＭＳサービスに対応する同じ周波数セットのセルへのハンドオーバを判断するために用いられる。
【００８１】
前記基地局７０は、端末６０により送信されたｅＭＢＭＳサービス周波数セット識別子を受信し、前記ｅＭＢＭＳサービス周波数セット識別子に応じて、周波数セットに対応するイベント測定構成を前記端末６０へ送信し、前記端末６０により報告された測定レポートを受信する場合、セルハンドオーバ判断を行い、前記端末６０を前記ｅＭＢＭＳサービス周波数セット識別子に対応する周波数セットのうちのいずれか１つの周波数のセルの基地局８０（ターゲット基地局）へハンドオーバするように構成される。
【００８２】
ここで、前記ｅＭＢＭＳサービス周波数セット識別子は、異なるタイプのサービスｅＭＢＭＳ周波数セットを区別するために用いられる。
【００８３】
１つの実施形態として、端末６０は、前記ソース基地局により送信された第一イベント測定構成に応じて第一イベント測定を行い、第一イベント測定結果が予め設定された条件を満たす場合、前記ソース基地局へ第一イベント測定レポートを報告するように構成され、前記第一イベント測定レポートは、前記ソース基地局がセルハンドオーバを行うかどうかを決定するために用いられる。
【００８４】
端末６０は、前記ソース基地局により送信された第二イベント測定構成に応じて第二イベント測定を行い、第二イベント測定結果が予め設定された条件を満たす場合、ソース基地局へ第二イベント測定レポートを報告するように構成され、前記第二イベント測定レポートは、前記ソース基地局がセルハンドオーバを終了するかどうかを決定するために用いられる。
【００８５】
１つの実施形態として、基地局７０は、前記端末６０により送信されたｅＭＢＭＳサービス周波数セット識別子を受信する場合、前記ｅＭＢＭＳサービス周波数セット識別子に応じて、周波数セットに対応する第一イベント測定構成を前記端末６０へ送信し、前記端末６０に報告された第一イベント測定レポートを受信する場合、前記ｅＭＢＭＳサービス周波数セット識別子に応じて、周波数セットに対応する第二イベント測定構成を前記端末６０へ送信するように更に構成される。
【００８６】
例えば、前記端末６０の構成及び各構成部分の機能は、図６に示された構成および各モジュールを使用することができ、前記基地局７０の構成及び各構成部分の機能は、図７に示された構成および各モジュールを使用することができる。
【００８７】
以上のように、本発明の実施例において、端末、基地局及び関連プロセスを改良し、図６に示された端末と図７に示された基地局が互いに配合して、本発明の実施例におけるｅＭＢＭＳサービス継続性を維持する方法を実現することができる。しかし、従来技術における端末と基地局の送受信において、ＭＢＭＳＩｎｔｅｒｅｓｔＩｎｄｉｃａｔｉｏｎを含むメッセージには、受信中のｅＭＢＭＳサービスの周波数セットと関心を持っているｅＭＢＭＳサービスの周波数セットを区別するための異なるｅＭＢＭＳサービス周波数セット識別子が含まれない。端末の前方互換性を保持するために、従来技術の旧いバージョンの端末は、図８に示すような処理プロセスを使用することができる。具体的には、端末がｅＮＢへｅＭＢＭＳサービスの周波数セットが含まれているＭＢＭＳＩｎｔｅｒｅｓｔＩｎｄｉｃａｔｉｏｎを連続２回に送信する。２回のＭＢＭＳＩｎｔｅｒｅｓｔＩｎｄｉｃａｔｉｏｎに含まれているｅＭＢＭＳサービスの周波数セットが一致した場合、ｅＮＢは、周波数セットのうちの一回目の周波数が受信中のｅＭＢＭＳサービスの周波数であると認める。このように、旧いバージョンの端末を大きく改良しなくても、本発明の実施例に係る技術案を実現することができる。
【００８８】
当業者であれば、本発明の実施例は、方法、システム又はコンピュータプログラム製品を提供することができると理解される。このため、本発明は、ハードウェアの実施例、ソフトウェアの実施例又はソフトウェアとハードウェア結合された実施例形態を採用することができる。さらに、本発明は、コンピュータ用プログラムコードが含まれる１つ以上のコンピュータ用記憶媒体（磁気記憶デバイス、光データ記憶デバイスを含むが、これらに限定されない）で実施されるコンピュータプログラム製品形態を採用することができる。
【００８９】
本発明は、本発明の実施例における方法、設備（システム）及びコンピュータプログラム製品のフローチャート及び／又はブロック図により記述されるものである。コンピュータプログラム命令により、フローチャート及び／又はブロック図のうちの各プロセス及び／又はブロック、フローチャート及び／又はブロック図におけるプロセス及び／又はブロックの結合を実現することができると理解される。これらのコンピュータプログラム命令を汎用コンピュータ、専用コンピュータ、埋込まれた処理機又は他のプログラマブルデータ処理設備のプロセッサに提供して１つの機器を生成して、コンピュータ又は他のプログラマブルデータ処理設備のプロセッサで命令を実行して、フローチャートにおける１つ以上のプロセス及び／又はブロック図における１つ以上のブロックで指定される機能装置を生成する。
【００９０】
これらのコンピュータプログラム命令は、コンピュータ又は他のプログラマブルデータ処理設備を特定形態で動作させるコンピュータ読取可能メモリに記憶されて、当該コンピュータ読取可能メモリに記憶された命令は、命令装置を含む製品を生成する。当該命令装置は、フローチャートにおける１つ以上のプロセス及び／又はブロック図における１つ以上のブロックで指定される機能を実現する。
【００９１】
これらのコンピュータプログラム命令は、コンピュータ又は他のプログラマブルデータ処理設備にロードされて、コンピュータ又は他のプログラマブル設備は、一連の操作ステップを実行してコンピュータでの処理を実現し、コンピュータは他のプログラマブル設備により実行される命令は、フローチャートにおける１つ以上のプロセス及び／又はブロック図における１つ以上のブロックで指定される機能ステップを実現する。
【００９２】
以上の説明は、本発明の好適な実施形態に過ぎず、本発明を限定するものではない。
【図１】
0006490198.tif 000002
【図２】
0006490198.tif 000003
【図３】
0006490198.tif 000004
【図４】
0006490198.tif 000005
【図５】
0006490198.tif 000006
【図６】
0006490198.tif 000007
【図７】
0006490198.tif 000008
【図８】
0006490198.tif 000009
【図９】
0006490198.tif 000010